【手続補正書】
【提出日】令和1年11月15日(2019.11.15)
【手続補正１】
【補正対象書類名】特許請求の範囲
【補正対象項目名】全文
【補正方法】変更
【補正の内容】
【特許請求の範囲】
【請求項１】
下記構造式１、２、及び３で表わされる繰り返し単位からなる群から選ばれる少なくとも１つを有する重合体。
【化１】
2018080269.tif 000001
ただし、前記構造式１、２、及び３において、Ａ２は水素原子またはメチル基であり、Ａ３は炭素数が１から１８の脂肪族炭化水素基であり、Ｒ０は下記構造式４、５、６、及び７で示される構造からなる群から選ばれるいずれか１つであり、
【化２】
2018080269.tif 000002
前記構造式４、５、６、及び７において、Ｒ１及びＲ９は各々独立に、水素原子、またはニトロ基若しくはハロゲン原子で置換されてもよい飽和若しくは不飽和の炭化水素基であり、Ｒ２からＲ８、Ｒ１０、及びＲ１１は各々独立に、水素原子、ニトロ基、ハロゲン原子、またはニトロ基若しくはハロゲン原子で置換されてもよい飽和若しくは不飽和の炭化水素基であり、Ｒ２とＲ３は互いに結合し、環中に不飽和結合があってもよい環状構造を形成してもよく、Ｒ４、Ｒ５、及びＲ６から選ばれる少なくとも二つは、互いに結合し、環中に不飽和結合があってもよい環状構造を形成してもよく、＊は前記構造式１、２、及び３におけるＮＨの位置を示す。
【請求項２】
前記Ｒ０が、下記構造式８、９、及び１０で示される構造から選ばれることを特徴とする請求項１に記載の重合体。
【化３】
2018080269.tif 000003
ただし、前記構造式８、９、及び１０で示される構造において、Ｒ１２及びＲ２０は各々独立に、水素原子、または飽和若しくは不飽和の炭化水素基であり、Ｒ１３からＲ１９、Ｒ２１、及びＲ２２は各々独立に、水素原子、ニトロ基、ハロゲン原子、または飽和若しくは不飽和の炭化水素基であり、＊は前記構造式１、２、及び３におけるＮＨの位置を示す。
【請求項３】
下記構造式１１、１２、及び１３で表わされる繰り返し単位の少なくとも１つを有することを特徴とする重合体。
【化４】
2018080269.tif 000004
ただし、前記構造式１１、１２、及び１３において、Ａ２は水素原子またはメチル基であり、Ｒ１２及びＲ２０は各々独立に、水素原子、または飽和若しくは不飽和の炭化水素基であり、Ｒ１３からＲ１９、Ｒ２１、及びＲ２２は各々独立に、水素原子、ニトロ基、ハロゲン原子、または飽和若しくは不飽和の炭化水素基である。
【請求項４】
前記構造式１１及び１３において、Ｒ１２及びＲ２０が、飽和または不飽和の炭化水素基であることを特徴とする請求項３に記載の重合体。
【請求項５】
前記構造式４及び５で表わされる繰り返し単位を有することを特徴とする請求項１または２に記載の重合体。
【請求項６】
前記構造式４、５、及び７で表わされる繰り返し単位を有することを特徴とする請求項１または２に記載の重合体。
【請求項７】
下記構造式１４、１５、及び１６で表わされる繰り返し単位からなる群から選ばれる少なくとも１つをさらに有することを特徴とする請求項１から６のいずれか１項に記載の重合体。
【化５】
2018080269.tif 000005
ただし、前記構造式１４、１５、及び１６において、Ａ２は水素原子またはメチル基を示し、Ｒ２３及びＲ２４は各々独立に、水素原子、飽和または不飽和の炭化水素基である。
【請求項８】
下記構造式１７で表わされる化合物の存在下で重合して得られる請求項１から７のいずれか１項に記載の重合体。
【化６】
2018080269.tif 000006
ただし、前記構造式１７において、Ｒ２５は炭素数１から１８の脂肪族炭化水素基、または構造式１８で表わされる構造であり、Ｒ２６は炭素数１から１８の脂肪族炭化水素基であり、Ｒ２７は、ヒドロキシル基、または炭素数１から１６のアルキルカルボニルオキシ基であり、＊は前記構造式１７におけるＲ２５と結合した窒素原子の位置を示す。
【請求項９】
下記構造式１７で表わされる化合物の存在下で、下記構造式１９及び２０で表わされる化合物の少なくとも１つを重合して得られる重合体。
【化７】
2018080269.tif 000007
ただし、前記構造式１７において、Ｒ２５は炭素数１から１８の脂肪族炭化水素基、または構造式１８で表わされる構造であり、Ｒ２６は炭素数１から１８の脂肪族炭化水素基であり、Ｒ２７は、ヒドロキシル基または炭素数１から１６のアルキルカルボニルオキシ基であり、＊は前記構造式１７におけるＲ２５と結合した窒素原子の位置を示し、
前記構造式１９及び２０において、Ｒ２８及びＲ２９は各々独立に、下記構造式４、５、６、及び７で示される構造からなる群から選ばれるいずれか１つであり、
【化８】
2018080269.tif 000008
前記構造式４、５、６、及び７において、Ｒ１及びＲ９は各々独立に、水素原子、またはニトロ基若しくはハロゲン原子で置換されてもよい飽和若しくは不飽和の炭化水素基であり、Ｒ２からＲ８、Ｒ１０、及びＲ１１は各々独立に、水素原子、ニトロ基、ハロゲン原子、またはニトロ基若しくはハロゲン原子で置換されてもよい飽和若しくは不飽和の炭化水素基であり、Ｒ２とＲ３は互いに結合し、環中に不飽和結合があってもよい環状構造を形成してもよく、Ｒ４、Ｒ５、及びＲ６から選ばれる少なくとも二つは、互いに結合し、環中に不飽和結合があってもよい環状構造を形成してもよく、＊は前記構造式１９及び前記構造式２０におけるＮＨの位置を示す。
【請求項１０】
前記構造式１９及び２０において、Ｒ２８またはＲ２９が、各々独立に、下記構造式８、９、及び１０で示される構造からなる群から選ばれる１つで表わされることを特徴とする請求項８に記載の重合体。
【化９】
2018080269.tif 000009
ただし、前記構造式８、９、及び１０で示される構造において、Ｒ１２及びＲ２０は各々独立に、水素原子、または飽和若しくは不飽和の炭化水素基であり、Ｒ１３からＲ１９、Ｒ２１及びＲ２２は各々独立に、水素原子、ニトロ基、ハロゲン原子、または飽和若しくは不飽和の炭化水素基であり、＊は前記構造式１９及び２０におけるＮＨの位置を示す。
【請求項１１】
前記構造式１８において、Ｒ２７が、炭素数１から１６のアルキルカルボニルオキシ基であることを特徴とする請求項８から１０のいずれか１項に記載の重合体。
【請求項１２】
８−オキソ−２’−デオキシグアノシンの検出に用いられる、請求項１から１１のいずれか１項に記載の重合体。
【請求項１３】
請求項１から１２のいずれか１項に記載の重合体を複数有し、複数の前記重合体の主鎖どうしが架橋していることを特徴とする架橋体。
【請求項１４】
８−オキソ−２’−デオキシグアノシンの検出に用いられる、請求項１３に記載の架橋体。
【手続補正２】
【補正対象書類名】明細書
【補正対象項目名】０００８
【補正方法】変更
【補正の内容】
【０００８】
本発明の実施形態では、下記構造式１、２、及び３で表わされる繰り返し単位からなる群から選ばれる少なくとも１つを有する重合体を提供する。
【化２】
2018080269.tif 000010
ただし、構造式１、２、及び３において、Ａ２は水素原子またはメチル基であり、Ａ３は炭素数１から１８の脂肪族炭化水素基であり、Ｒ０は下記構造式４、５、６、及び７で示される構造からなる群から選ばれるいずれか１つであり、
【化３】
2018080269.tif 000011
構造式４、５、６、及び７において、Ｒ１及びＲ９は各々独立に、水素原子、またはニトロ基若しくはハロゲン原子で置換されてもよい飽和若しくは不飽和の炭化水素基であり、Ｒ２からＲ８、Ｒ１０、及びＲ１１は各々独立に、水素原子、ニトロ基、ハロゲン原子、またはニトロ基若しくはハロゲン原子で置換されてもよい飽和若しくは不飽和の炭化水素基であり、Ｒ２とＲ３は互いに結合し、環中に不飽和結合があってもよい環状構造を形成してもよく、Ｒ４、Ｒ５、及びＲ６から選ばれる少なくとも二つは互いに結合し、環中に不飽和結合があってもよい環状構造を形成してもよく、＊は構造式１、２、及び３におけるＮＨの位置を示す。なお、＊は構造式１、２、３のＮＨのＮに結合する結合手を表わす、と言い換えることもできる。＊の意味について、以下も同様である。
【手続補正３】
【補正対象書類名】明細書
【補正対象項目名】０００９
【補正方法】変更
【補正の内容】
【０００９】
上記Ｒ０が、下記構造式８、９、及び１０で示される構造から選ばれることができる。
【化４】
2018080269.tif 000012
ただし、構造式８、９、及び１０で示される構造において、Ｒ１２及びＲ２０は各々独立に水素原子、または飽和若しくは不飽和の炭化水素基であり、Ｒ１３からＲ１９、Ｒ２１、及びＲ２２は各々独立に水素原子、ニトロ基、ハロゲン原子、または飽和若しくは不飽和の炭化水素基であり、＊は前記構造式１、２、及び３におけるＮＨの位置を示す。
【手続補正４】
【補正対象書類名】明細書
【補正対象項目名】００１０
【補正方法】変更
【補正の内容】
【００１０】
また、本発明の実施形態では、下記構造式１１、１２、及び１３で表わされる繰り返し単位の少なくとも１つを有する重合体を提供する。
【化５】
2018080269.tif 000013
ただし、構造式１１、１２、及び１３においてＡ２は水素原子またはメチル基であり、Ｒ１２及びＲ２０は各々独立に、水素原子、または飽和若しくは不飽和の炭化水素基であり、Ｒ１３からＲ１９、Ｒ２１及びＲ２２は各々独立に、水素原子、ニトロ基、ハロゲン原子、または飽和若しくは不飽和の炭化水素基である。
【手続補正５】
【補正対象書類名】明細書
【補正対象項目名】００１１
【補正方法】変更
【補正の内容】
【００１１】
本発明の実施形態に係る重合体は、構造式４、及び５で表わされる繰り返し単位を有することができる。または、構造式４、５、及び７で表わされる繰り返し単位を有すことができる。
本発明の実施形態に係る重合体は、さらに、主鎖どうしを連結する架橋構造を有してもよい。